(57)【要約】      （修正有）【課題】ドラムとリフターの結合によりリフターの性能低下を引き起こさず、リフターに収容される水がドラムとリフターの結合部位から流出しない構造を有するリフターを提供する。【解決手段】ドラムの内側に装着される第１部材１１０と、第１部材１１０に装着され、ドラムの内部に向かって突出する第２部材１２０とを含み、第１部材１１０は、第１部材１１０の周囲に沿って突設され、ドラムの締結孔に挿入されて一方向にスライドされると少なくとも一部がドラムの内周面を覆うように配置されるフック部と、第１部材１１０の内側に向かって突設され、フック部が締結孔に挿入されて一方向にスライドされると締結孔を完全に覆うように形成される遮蔽部とを含む衣類処理装置用リフター。【選択図】図５
2020103963.tif 000002
【特許請求の範囲】
【請求項１】
衣類処理装置用リフターであって、
プラスチックからなり、背面部が衣類処理装置のドラムの内側面に結合される第１部材と、
ステンレスからなり、前記ドラムの内部に向かって突出するように形成され、前記第１部材の前面部に結合される第２部材と、を備えてなり、
前記第１部材は、前記ドラムの内側面と前記第２部材との間に配置される、衣類処理装置用リフター。
【請求項２】
前記第１部材には、前記ドラムの内側面に対向する前記背面部の周囲部に沿ってフック部が突設され、
前記フック部は、前記ドラムの内側面に形成される締結孔に挿入されて前記ドラムの内側面に装着されることを特徴とする、請求項１に記載の衣類処理装置用リフター。
【請求項３】
前記第１部材には、前記前面部の周囲部に沿って所定の深さを有する結合溝が形成され、
前記第２部材は、前記結合溝に挿入されて前記第１部材の前面部に結合されることを特徴とする、請求項２に記載の衣類処理装置用リフター。
【請求項４】
前記第２部材は、
流線形からなり、前記ドラムの内部に向かって突出するように形成され、内部に洗濯水が収容される空間を形成する本体と、
前記本体の周囲部に沿って突設される複数の突起部とを備えてなることを特徴とする、請求項３に記載の衣類処理装置用リフター。
【請求項５】
前記結合溝の一側には、前記結合溝に沿って複数の装着孔が形成され、
前記各突起部が前記各装着孔に挿入されていずれか一方向に屈曲されることにより、前記第１部材と前記第２部材が結合されることを特徴とする、請求項４に記載の衣類処理装置用リフター。
【請求項６】
前記第１部材には、前記背面部から前記フック部の突設方向と交差する方向に突設されて前記締結孔を覆うように形成され、前記ドラムの延長方向に沿って前記背面部の周囲部に形成される遮蔽部が備えられることを特徴とする、請求項２に記載の衣類処理装置用リフター。
【請求項７】
前記遮蔽部は、前記フック部が前記締結孔に挿入されていずれか一方向にスライドされると前記締結孔を覆うように形成されることを特徴とする、請求項６に記載の衣類処理装置用リフター。
【請求項８】
前記遮蔽部は、複数からなり、前記ドラムの回転方向に対応するように前記第１部材の背面部のいずれか一側の周囲部に沿って互いに離隔して形成されることを特徴とする、請求項７に記載の衣類処理装置用リフター。
【請求項９】
前記フック部は、鉤部の形状からなり、前記ドラムの締結孔に挿入されて一方向にスライドされて前記ドラムの内側面及び外側面をそれぞれ支持することを特徴とする、請求項６に記載の衣類処理装置用リフター。
【請求項１０】
前記フック部の幅は、前記ドラムの締結孔の幅より小さく、
前記各フック部は、前記各締結孔に挿入されてスライドされて前記ドラムの内側面及び外側面をそれぞれ支持することを特徴とする、請求項９に記載の衣類処理装置用リフター。
【請求項１１】
前記衣類処理装置のタブに貯蔵された洗濯水は、前記ドラムの内側面を貫通する孔と少なくとも一部が重なるように前記第１部材に形成される洗濯水流入部を介して、前記第２部材の本体の内部に収容され、
前記本体の内部に収容された洗濯水は、前記ドラムの回転により、前記第２部材に形成される洗濯水排出孔から前記ドラムの内部に噴射されることを特徴とする、請求項１に記載の衣類処理装置用リフター。
【請求項１２】
前記洗濯水流入部は、複数の洗濯水流入孔から構成され、
前記各洗濯水流入孔は、前記第１部材の中心部に形成され、
前記各洗濯水流入孔間には、前記第１部材を横切る方向にリブが形成されることを特徴とする、請求項７に記載の衣類処理装置用リフター。
【発明の詳細な説明】
【技術分野】
【０００１】
本発明は、衣類処理装置において用いられるリフターに関する。
【背景技術】
【０００２】
衣類処理装置は、ドラムの内部に衣服、寝具など（以下、洗濯物という。）を投入して洗濯物に付着した汚染を除去する装置である。衣類処理装置は、洗濯、すすぎ、脱水、乾燥などの過程を行うことができる。衣類処理装置は、ドラムに洗濯物を投入する方式によってトップローディング（top loading）方式とフロントローディング（front loading）方式に分けられる。フロントローディング方式の洗濯機を一般にドラム洗濯機という。
【０００３】
衣類処理装置は、外観を形成する本体と、本体の内部に収容されるタブと、タブの内部に回転可能に装着されて洗濯物が投入されるドラムと、洗剤をドラムの内部に供給する洗剤供給装置とを含むものが一般的である。ドラムに収容された洗濯物に洗濯水が供給された状態でドラムがモータにより回転すると、洗濯物とドラム及び洗濯水との摩擦により洗濯物に付いた汚れを除去することができる。
【０００４】
洗濯機ドラムの内周面には、ドラムが回転すると洗濯物の上昇及び落下により洗濯物の洗浄を助けるリフターが位置する。リフターは、ドラム内に洗剤、洗濯水及び洗濯物が投入されてドラムが回転すると、洗濯物を上方に持ち上げ、その後落下させて洗濯物の洗浄を助ける装置である。ドラムの内部にリフターが位置することにより、洗濯物の損傷が防止され、水使用量を減少させることができ、洗濯物を叩いて揉み洗う効果が得られる。リフターは、ドラムの内周面に取り付けられ、リフターの内部空間に水を収容し、その後ドラムの内部の洗濯物に水を噴射する役割を果たす。
【０００５】
従来のリフターは、別途の締結部材によりドラムに結合されるのが一般的であり、それは締結部材の欠陥や故障によりリフターの性能低下を引き起こす。また、リフター内に流入した水がドラムとリフターの締結部位から流出することにより、洗濯水の無用な流出が発生するという問題もある。
【０００６】
よって、ドラムとリフターの結合によりリフターの性能低下を引き起こさず、リフターに収容される水がドラムとリフターの結合部位から流出しない構造を有するリフターが求められている。
【発明の概要】
【発明が解決しようとする課題】
【０００７】
本発明は、性能低下が発生せず、ドラムの内側面に取り付け可能な構造を有するリフターを提案する。
【０００８】
本発明は、ドラムの内側面に強固に結合される構造を有するリフターを提案する。
【０００９】
本発明は、内部に収容される洗濯水がドラムとリフターの締結部から流出することを低減できる構造を有するリフターを提案する。
【課題を解決するための手段】
【００１０】
上記課題を解決するために、本発明の一実施形態による衣類処理装置用リフターは、ドラムの内側に装着される第１部材と、前記第１部材に装着され、前記ドラムの内部に向かって突出する第２部材とを含み、前記第１部材は、前記第１部材の周囲に沿って突設され、前記ドラムの締結孔に挿入されて一方向にスライドされると少なくとも一部が前記ドラムの内周面を覆うように配置されるフック部と、前記第１部材の内側に向かって突設され、前記フック部が前記締結孔に挿入されて一方向にスライドされると前記締結孔を完全に覆うように形成される遮蔽部とを含む。
〔本発明の一の態様〕
〔１〕  衣類処理装置用リフターであって、
ドラムの内側に装着される第１部材と、
前記第１部材に装着され、前記ドラムの内部に向かって突出する第２部材とを備え、
前記第１部材は、
前記第１部材の周囲に沿って突設され、前記ドラムの締結孔に挿入されて一方向にスライドされると少なくとも一部が前記ドラムの内周面を覆うように配置されるフック部と、
前記第１部材の内側に向かって突設され、前記フック部が前記締結孔に挿入されて一方向にスライドされると前記締結孔を完全に覆うように形成される遮蔽部とを備えてなる、衣類処理装置用リフター。
〔２〕  前記遮蔽部は、前記ドラムの回転方向に対応するように前記第１部材の一側に形成され、前記締結孔からの前記洗濯水の流出を防止することを特徴とする、〔１〕に記載の衣類処理装置用リフター。
〔３〕  前記遮蔽部は、前記第１部材の一側の周囲部に沿って互いに離隔して複数配置されることを特徴とする、〔２〕に記載の衣類処理装置用リフター。
〔４〕  前記第１部材の他側は、前記第１部材の内側に向かって突設され、前記フック部が前記締結孔に挿入されて一方向にスライドされると前記締結孔の一部のみ覆うように形成され、洗濯水の流入が可能であることを特徴とする、〔２〕に記載の衣類処理装置用リフター。
〔５〕  前記第１部材は、洗濯水の流入のために前記ドラムに形成された孔の一部と重なるように形成される洗濯水流入部を備えることを特徴とする、〔１〕に記載の衣類処理装置用リフター。
〔６〕  前記洗濯水流入部は、前記洗濯機ドラムの回転軸と平行な方向に互いに離隔して配置される複数の洗濯水流入孔を備えることを特徴とする、〔５〕に記載の衣類処理装置用リフター。
〔７〕  衣類処理装置用リフターであって、
ドラムの内側に装着される第１部材と、
前記第１部材に装着され、前記ドラムの内部に向かって突出する第２部材とを備え、
前記第２部材は、
前記ドラムの内部に向かって突出し、内部に洗濯水を収容する本体と、
前記本体の下部の周囲に沿って位置する複数の突起部とを備えることを特徴とする、衣類処理装置用リフター。
〔８〕  前記第１部材には、前記第２部材の突起部が挿入されて前記第２部材に結合されるように、下部の周囲に沿って複数の装着孔が形成されることを特徴とする、〔７〕に記載の衣類処理装置用リフター。
〔９〕  前記第１部材の装着孔に前記第２部材の突起部が挿入されて前記突起部が屈曲されることにより、前記第１部材と前記第２部材が結合されることを特徴とする、〔８〕に記載の衣類処理装置用リフター。
〔１０〕  前記第２部材は、前記ドラムの外部から前記本体に収容される洗濯水の排出のために、前記本体の上部に位置し、一方向に形成される複数の洗濯水排出孔を備えることを特徴とする、〔７〕に記載の衣類処理装置用リフター。
〔１１〕  前記第１部材には、前記ドラムの内側面に螺合により固定されるように、一側にネジ挿入孔が形成されることを特徴とする、〔１〕に記載の衣類処理装置用リフター。
〔１２〕  前記第１部材はステンレスで形成され、前記第２部材はプラスチックで形成されることを特徴とする、〔１〕に記載の衣類処理装置用リフター。
【００１１】
本発明の一態様によれば、前記遮蔽部は、前記ドラムの回転方向に対応するように前記第１部材の一側に形成され、前記締結孔からの前記洗濯水の流出を防止する。
【００１２】
本発明の一態様によれば、前記遮蔽部は、前記第１部材の一側の周囲部に沿って互いに離隔して複数配置されてもよい。
【００１３】
ここで、前記第１部材の他側は、前記第１部材の内側に向かって突設され、前記フック部が前記締結孔に挿入されて一方向にスライドされると前記締結孔の一部のみ覆うように形成され、洗濯水の流入が可能であってもよい。
【００１４】
本発明の一態様によれば、前記第１部材は、洗濯水の流入のために前記ドラムに形成された孔の一部と重なるように形成される洗濯水流入部を備える。
【００１５】
ここで、前記洗濯水流入部は、前記洗濯機ドラムの回転軸と平行な方向に互いに離隔して配置される複数の洗濯水流入孔を備えてもよい。
【００１６】
本発明の一態様による衣類処理装置用リフターは、ドラムの内側に装着される第１部材と、前記第１部材に装着され、前記ドラムの内部に向かって突出する第２部材とを含み、前記第２部材は、前記ドラムの内部に向かって突出し、内部に洗濯水を収容する本体と、前記本体の下部の周囲に沿って位置する複数の突起部とを備えてもよい。
【００１７】
また、前記第１部材には、前記第２部材の突起部が挿入されて前記第２部材に結合されるように、下部の周囲に沿って複数の装着孔が形成されてもよい。
【００１８】
ここで、前記第１部材の装着孔に前記第２部材の突起部が挿入されて前記突起部が屈曲されることにより、前記第１部材と前記第２部材が結合されてもよい。
【００１９】
また、前記第２部材は、前記ドラムの外部から前記本体に収容される洗濯水の排出のために、前記本体の上部に位置し、一方向に形成される複数の洗濯水排出孔を備えてもよい。
【００２０】
本発明の一態様によれば、前記第１部材には、前記ドラムの内側面に螺合により固定されるように、一側にネジ挿入孔が形成されてもよい。
【００２１】
本発明の一態様によれば、前記第１部材はステンレスで形成され、前記第２部材はプラスチックで形成されてもよい。
【発明の効果】
【００２２】
本発明による衣類処理装置用リフターは、フック部によりドラムの締結孔に挿入されてスライドされ、ドラムの内周面を支持することによりドラムに結合することができるので、ドラムとの結合による性能低下が発生しなくなる。
【００２３】
本発明による衣類処理装置用リフターは、洗濯過程でドラムが回転しても、第１部材に形成される遮蔽部によりリフターの内部に収容される洗濯水が外部に流出することを防止することができるので、無用な洗濯水の流出を防止することができ、洗濯水排出孔から洗
濯水を排出することによりリフターの性能を維持することができる。
【図面の簡単な説明】
【００２４】
【図１】衣類処理装置の全体的な構造を示す斜視図である。
【図２】ドラムの内周面に取り付けられるリフターを示す斜視図である。
【図３】ドラム及びドラムに取り付けられるリフターを含むドラムの内部構造を示す分解図である。
【図４】ドラムの内部からリフターを見た斜視図である。
【図５】リフターの全体構造を示す分解図である。
【図６】リフターを構成する第１部材を示す斜視図である。
【図７】（ａ）は第１部材の装着孔に第２部材の突起部が挿入される状態を示す図である。（ｂ）は第１部材の装着孔に第２部材の突起部が挿入されて結合される状態を示す図である。（ｃ）は第１部材の装着孔に第２部材の突起部が挿入されて屈曲された状態を示す図である。
【図８】リフターがドラムに結合される状態を示す図である。
【図９】（ａ）は第１部材のフック部がドラムの締結孔に挿入された状態を示す図である。（ｂ）はフック部がスライドされた状態を示す図である。（ｃ）はフック部がスライドされてドラムに結合された状態を示す図である。（ｄ）はリフターがドラムの内周面に結合された状態をドラムの外部から見た状態を示す図である。
【図１０】リフターがドラムの内周面に結合された状態を示す図及びそれを拡大した図である。
【図１１】本体の前面部からドラムを見た図である。
【図１２】リフターの内部に洗濯水が流入して洗濯水排出孔からドラムの内部に排出される状態を示す図である。
【発明を実施するための形態】
【００２５】
以下、図面を参照して、本発明による引張試験用ホルダについてより詳細に説明する。
【００２６】
本発明においては、異なる実施形態であっても同一又は類似の構成には同一又は類似の符号を付し、その説明は省略する。本発明に用いられる単数の表現は、特に断らない限り複数の表現を含む。
【００２７】
図１は衣類処理装置の全体的な構造を示す図である。
【００２８】
衣類処理装置は、外観を形成する衣類処理装置本体１１と、本体１１の内部に回転可能に装着されて洗濯物が投入されるドラム２０と、ドラム２０の内部に設けられるリフター１００と、本体１１の前面に設けられるドア１２とを含み、本体１１の下部には、洗剤を投入するための洗剤投入口を遮蔽する洗剤投入口カバー１３が位置する。また、衣類処理装置は、ドラムの内部の洗濯物の乾燥のために空気を循環させなければならないので、ダクト、熱交換器などを内部に含む。
【００２９】
ドラム２０の内周面２２にはリフター１００が設けられるので、ドラム２０が回転すると、洗濯物の上昇及び落下により洗濯物の洗浄を助ける。リフター１００は、ドラム２０の内部に洗剤、洗濯水及び洗濯物が投入されてドラム２０が回転すると、洗濯物を上方に持ち上げ、その後落下させて洗濯物の洗浄を助ける役割を果たす装置である。リフター１００は、ドラム２０の内部の洗濯物の絡みを防止して洗濯物の損傷を防止し、水使用量を減少させることができ、洗濯物を叩いて揉み洗う効果を発揮する。
【００３０】
図２はドラム２０の内周面２２に設けられるリフター１００を示す図である。
【００３１】
リフター１００は、ドラムの回転軸と平行な方向に延びるように形成され、ドラム本体２１の内周面２２に沿って設けられる。リフター１００はドラムの内周面２２に複数設けられるのが一般的であり、リフター１００がドラムの回転軸を中心に非対称に設けられると、ドラムが回転することにより振動及び騒音が発生する恐れがあるので、リフター１００はドラムの回転軸を中心に所定角度で複数設けられることが好ましい。
【００３２】
図３は本発明に用いられるドラム及びドラムに取り付けられるリフター１００を含むドラムの内部構造を示す分解図である。
【００３３】
ドラムは、バランサと、ドラム前面部材２６と、ドラム本体２１と、リフター１００と、ドラム背面部材２７と、バランサ２５ａ、２５ｂと、スパイダ２８とを含み、図３に示すように、これらの部材が順番に結合されると図２のドラムの形状となる。図３に示すドラムを構成する各部材の役割について説明すると、バランサ２５ａ、２５ｂはドラムが回転することにより振動を抑制するための部材であり、スパイダ２８はドラムの回転力を供給する役割を果たす部材である。リフター１００は、前述した通り、ドラムの内部の洗濯物を持ち上げ、その後落下させる役割を果たすものであり、落差により洗濯性能を向上させる役割を果たす部材である。
【００３４】
図４及び図５はリフター１００の構造を示す図である。
【００３５】
図４に示すように、リフター１００は、第１部材１１０と第２部材１２０が結合されて形成されるものであり、第１部材１１０の上に第２部材１２０が位置する。リフター１００は、流線形又はＳ字状を有し、所定角度だけねじれた非線形の構造を有する。よって、ドラム内の洗濯水は、ドラムが回転するとリフター１００により円滑に流動することができる。
【００３６】
図５は第１部材１１０の上に第２部材１２０が結合される状態を示す図である。
【００３７】
まず、図５の下部及び図６を参照して、第１部材１１０について説明する。図５の下部には第１部材１１０の上面が示されており、図６には第１部材１１０の下面が示されている。第１部材１１０は、本体１１１と、フック部１１２と、遮蔽部１１３と、装着孔１１７と、洗濯水流入孔１１５ａと、ネジ挿入孔１１９とを備える。
【００３８】
第１部材の本体１１１は、第１部材１１０の全体的な構造を形成するものであり、ドラムの回転軸と平行な方向に延設され、ドラムの回転軸と平行にドラムの内周面２２に結合されて設けられる。
【００３９】
第１部材１１０は、洗濯水流入部１１５を備える。洗濯水流入部１１５は、リフター１００内への洗濯水流入のために第１部材１１０を貫通する孔からなる。洗濯水流入部１１５は、ドラムに形成された孔の一部と重なるように形成される。
【００４０】
洗濯水流入部１１５は、複数の洗濯水流入孔１１５ａから構成される。図５に示すように、各洗濯水流入孔１１５ａは、洗濯機ドラムの回転軸と平行な方向に互いに離隔して配置され、第１部材１１０を貫通する形状を有する。
【００４１】
衣類処理装置の洗濯過程でドラムが回転することによりタブからドラム内に洗濯水が流入し、ドラムに形成される孔を介して流入する洗濯水は、ドラムに形成される孔と重なる各洗濯水流入孔１１５ａを経てリフター１００の内部に流入する。
【００４２】
ネジ挿入孔１１９は、第１部材１１０の一側に形成されるものであり、ドラムに固定す
る役割を果たす。第１部材１１０は、ネジ挿入孔１１９を介してドラムの内側面に螺合により固定される。ネジ挿入孔１１９は、図５のように、第１部材１１０の両端に形成されてもよく、第１部材１１０の洗濯水流入孔１１５ａの間に複数配置されてもよい。ネジ挿入孔１１９は、ネジが挿入される一般的な形状を有する。
【００４３】
図６はドラムの内周面２２に結合される第１部材１１０の背面を示す図である。
【００４４】
第１部材１１０の背面を見ると、第１部材１１０は、装着孔１１７と、フック部１１２と、遮蔽部１１３とを備えることが分かる。
【００４５】
装着孔１１７は第１部材１１０と第２部材１２０の結合のためのものであり、装着孔１１７に第２部材１２０の突起部１２３が挿入されることにより、第１部材１１０と第２部材１２０が結合される。図７の（ａ）に示すように、装着孔１１７は、第１部材１１０の周囲部に沿って形成され、第２部材１２０の突起部１２３が挿入されるように対応する形状を有する。装着孔１１７は、第１部材１１０の周囲に沿って複数箇所に位置する。
【００４６】
フック部１１２は、第１部材１１０の下面の周囲に沿って突設されるものであり、第１部材１１０をドラムに固定する役割を果たす。フック部１１２は、図６に示すように、挿入後スライドされてドラムの一側を支持できるように鉤部の形状を有する。
【００４７】
フック部１１２は、ドラムに位置する締結孔に挿入されるように配置されてスライドされ、ドラムの一側を支持することによりドラムに固定される。各フック部１１２は、図６に示すように、第１部材１１０の周囲に沿って複数配置され、互いに対向するように位置する。フック部１１２は、第１部材１１０の中心部に向かって曲がった形状を有する。フック部１１２は、ドラムの締結孔２４に挿入されて一方向にスライドされ、フック部１１２の少なくとも一部がドラムの内周面２２を覆うように配置される。
【００４８】
遮蔽部１１３は、締結孔を覆うように第１部材１１０の内側に向かって突設される。遮蔽部１１３は、フック部１１２が締結孔に挿入されて一方向にスライドされると締結孔を完全に覆う役割を果たす。遮蔽部１１３は、ドラムの回転方向に対応して第１部材１１０の一側に形成され、ドラムの締結孔２４から洗濯水が流出することを防止する。遮蔽部１１３は、第１部材１１０が延びる方向に第１部材１１０の一側の周囲部に沿って互いに離隔して複数配置される。
【００４９】
ドラムが回転することにより遠心力が発生し、ドラムの回転方向から相対的に遠い側に締結孔を覆う遮蔽部１１３が位置するので、ドラムが回転してもリフター１００に収容される洗濯水は流出しなくなる。すなわち、遮蔽部１１３は、図６に示すように、楕円形状を有する第１部材１１０の中心を通る長軸を基準に上側にのみ遮蔽部１１３が形成されていることが分かる。
【００５０】
遮蔽部１１３が位置しない第１部材１１０の他側は、第１部材１１０の内側に向かって突設されるフック部１１２が締結孔に挿入されて一方向にスライドされ、ドラムの締結孔２４を一部のみ覆うように形成される。図６に示すように、第１部材１１０の長軸を基準に下側には遮蔽部１１３が形成されていないことが分かる。よって、この部位から洗濯水の一部がリフター１００の内部に流入する。第１部材１１０は合成樹脂からなるようにしてもよく、例えば第１部材１１０は射出されたプラスチックからなるようにしてもよい。しかし、その材料が限定されるものではない。
【００５１】
図５を参照して、第２部材１２０について説明すると、第２部材１２０は、本体１２１と、突起部１２３と、洗濯水排出孔１２５とを含む。
【００５２】
第２部材１２０の本体１２１は、ドラムの内部に向かって突設され、内部空間に洗濯水を収容することができる。第２部材１２０の本体１２１は、非線形的な形状を有する。
【００５３】
突起部１２３は、本体１２１の下部の周囲に沿って形成されるものであり、複数からなる。第１部材１１０の周囲に沿って形成される装着孔１１７に第２部材１２０の突起部１２３が挿入されることにより、第１部材１１０と第２部材１２０が結合される。図５に示すように、突起部１２３は、第２部材１２０の本体１２１の下部に形成され、第２部材１２０の上部から下部に向かって位置する。
【００５４】
洗濯水排出孔１２５は、ドラムの外部から第２部材１２０の本体１２１に収容される洗濯水の排出のために、本体１２１の上部に位置し、一方向に沿って形成される。具体的には、第２部材１２０の本体１２１の上部には一方向に沿って延びる第２部材本体１２１の上面が位置し、第２部材１２０の本体１２１の上面には複数の洗濯水排出孔１２５が形成される。洗濯水排出孔１２５を介してリフター１００に収容される洗濯水をドラムに向かって排出することができるので、ドラムの内部に収容される洗濯物の洗濯を助ける役割を果たす。また、リフター１００によるドラムの内部への給水により、洗濯過程における水使用量も減少させることができる。
【００５５】
図７はリフター１００を構成する第１部材１１０と第２部材１２０が結合される過程を示す図である。
【００５６】
図７の（ａ）は第１部材１１０の装着孔１１７に第２部材１２０の突起部１２３が挿入される状態を示す図であり、第１部材１１０に形成される複数の装着孔１１７に第２部材１２０に形成される複数の突起部１２３が位置を合わせて挿入されることにより、第１部材１１０と第２部材１２０が結合される。
【００５７】
図７の（ｂ）は第１部材１１０の装着孔１１７に第２部材１２０の突起部１２３が挿入され、第１部材１１０が上方に位置し、第２部材１２０が下方に位置する状態を示す。図７の（ｂ）は第２部材１２０の突起部１２３が第１部材１１０の装着孔１１７に挿入されて上方に突出した状態を示す。
【００５８】
図７の（ｃ）は第１部材１１０の装着孔１１７に挿入された第２部材１２０の突起部１２３が固定のために屈曲された状態を示す。第１部材１１０の装着孔１１７に挿入されて上方に突出した第２部材１２０の突起部１２３は、第１部材１１０と第２部材１２０の結合のために屈曲される。突起部１２３の屈曲は第１部材１１０の内側に向かって行われる。
【００５９】
すなわち、第１部材１１０の装着孔１１７に第２部材１２０の突起部１２３が挿入されて屈曲されることにより、第１部材１１０と第２部材１２０が結合される。
【００６０】
図８はリフター１００がドラムに結合される状態を示す図である。
【００６１】
ドラムにはリフター１００を固定するための複数の締結孔が位置し、ドラムの締結孔２４にリフター１００の第１部材１１０のフック部１１２が挿入されてスライドされ、リフター１００の第１部材の上下部に位置するネジ挿入孔１１９にネジが締結されることにより、リフター１００がドラムに固定される。
【００６２】
図９の（ａ）は第１部材１１０のフック部１１２がドラムの締結孔２４に挿入された状態を示す図である。リフター１００をドラムに固定するために、第１部材１１０のフック
部１１２がドラムの締結孔２４に挿入される。
【００６３】
図９の（ｂ）はフック部１１２がスライドされた状態を示す図である。第１部材１１０のフック部１１２は、ドラムの締結孔２４に挿入され、同図の矢印方向にスライドされる。フック部１１２はドラムの一側を支持できるように鉤部の形状を有し、フック部１１２はスライドされてドラムの一側を支持することにより、ドラムにさらに密着して固定される。
【００６４】
図９の（ｃ）はフック部１１２がスライドされてドラムに結合された状態を示す。フック部１１２は、同図に示すように、ドラム本体２１を支持する。具体的には、第１部材１１０のフック部１１２は、ドラムの外周面と内周面の少なくとも一部を覆うように配置される。
【００６５】
図９の（ｄ）はリフター１００がドラムの内周面２２に結合された状態をドラムの外部から見た状態を示す。同図に示すように、ドラム本体２１の一部を第１部材１１０に位置する各フック部１１２が支持し、左側の締結孔には第１部材１１０の遮蔽部１１３が介在する。ドラム本体２１が第１部材１１０に位置するネジ挿入孔１１９と螺合により固定されることにより、リフター１００がドラムの内周面に配置される。
【００６６】
図１０はリフター１００がドラムの内周面２２に結合された状態を示す図及びそれを拡大した図であり、右側の拡大図はリフター１００の内部に洗濯水が収容可能な構造を示し、左側の拡大図はリフター１００の内部に収容された洗濯水が外部に排出されない構造を示す図である。リフター１００とドラムは、第１部材１１０のフック部１１２により支持され、螺合により互いに結合される。第１部材１１０のフック部１１２は、ドラムの内周面２２及び外周面の一部を支持し、第１部材１１０のネジ挿入孔１１９にネジが挿入されることによりドラムに結合される。
【００６７】
ドラムの各締結孔に第１部材１１０の各フック部１１２が挿入されてスライドされると、第１部材１１０の遮蔽部１１３はドラムの締結孔２４を覆う。遮蔽部１１３は、フック部１１２が締結孔に挿入されて一方向にスライドされると締結孔を完全に覆い、洗濯水の流出を防止する。楕円形状を有する第１部材１１０は長軸を有し、長軸を基準に左側では第１部材１１０の遮蔽部１１３により締結孔を完全に覆う。
【００６８】
図１０の左側の拡大図に示すように、フック部１１２の下端には遮蔽部１１３が位置し、ドラムの締結孔２４を覆うことが分かる。遮蔽部１１３は第１部材１１０の一側の周囲部に沿って第１部材１１０の内側に向かって突設され、ドラムの締結孔２４を遮蔽部１１３が完全に覆い、ドラムの締結孔２４からリフター１００の内部に流入した洗濯水が外部に流出することを防止する。
【００６９】
図１０の右側の拡大図に示すように、第１部材１１０の長軸を基準に右側ではドラムの締結孔２４が一部露出する形状を有する。第１部材１１０の中心を通る長軸を基準に右側には遮蔽部１１３が形成されていないので、遮蔽部１１３が形成されていない側では締結孔の一部が外部に露出するため、この部位から洗濯水の一部がリフター１００の内部に流入する。
【００７０】
図１０の矢印方向に沿って、ドラムの孔と重なるように形成される洗濯水流入孔１１５ａ、及び遮蔽部１１３が位置せず外部に一部露出する締結孔からリフター１００の内部に洗濯水の一部が流入する。
【００７１】
図１１は図１０のＡ−Ａ線断面図であり、リフター１００の内部に洗濯水が流入して洗
濯水排出孔１２５からドラムの内部に排出される状態を示す図である。
【００７２】
ドラムが回転すると、ドラムを囲むタブからドラムの内部に洗濯水が流入する。洗濯水は、ドラムの内周面２２に取り付けられるリフター１００にも一部収容される。洗濯水は、ドラムの孔を通過し、ドラムの孔と重なるように形成される第１部材１１０の洗濯水流入孔１１５ａを経て、第２部材１２０の洗濯水排出孔１２５からドラムの内部に排出される。また、洗濯水は、遮蔽部１１３が位置しない締結孔からもリフター１００の内部に一部が流入する。図１１の矢印は洗濯水の移動方向を示す。
【００７３】
図１２は本体の前面部からドラムを見た図であり、ドラム内にリフター１００が配置された状態を示す図である。リフター１００は、ドラムの内周面２２に沿って複数設けられる。リフター１００がドラムの回転軸を中心に対称となるように配置されないと、ドラムが回転することにより騒音及び振動が発生する恐れがあり、洗濯物が均一に持ち上げられず、洗濯物全体に均一に洗濯が行われないことがある。よって、リフター１００は、図１２に示すように、ドラムの回転軸を中心に対称となるように複数配置されることが好ましい。そうすると、ドラム内の洗濯物がリフター１００に引っかかってドラム内で所定の高さまで効果的に持ち上げられ、ドラム内の洗濯水がより円滑に流動することができるので、洗濯効果が向上する。
【００７４】
以上説明した衣類処理装置用リフター１００は上記実施形態の構成や方法に限定されるものではなく、様々な変形が行われるように構成してもよい。
【産業上の利用可能性】
【００７５】
本発明は、衣類処理装置分野において用いられる。
【図１】
2020103963.tif 000003
【図２】
2020103963.tif 000004
【図３】
2020103963.tif 000005
【図４】
2020103963.tif 000006
【図５】
2020103963.tif 000007
【図６】
2020103963.tif 000008
【図７】
2020103963.tif 000009
【図８】
2020103963.tif 000010
【図９】
2020103963.tif 000011
【図１０】
2020103963.tif 000012
【図１１】
2020103963.tif 000013
【図１２】
2020103963.tif 000014